(57)【要約】【課題】訪問先公衆陸上移動網（ＶｉｓｉｔｅｄＰＬＭＮ）において様々なアクセスネットワークからの接続と、統一したモビリティの管理を可能にする。【解決手段】公衆陸上移動網（ＰＬＭＮ）にコントロールサーバ（ＣＳ）とサービスエージェント（ＳＡ）とモビリティエージェント（ＭＡ）を配置し、移動端末が複数のアクセスネットワークを選択できる手段を保有することで、公衆陸上移動網（ＰＬＭＮ）と移動端末間の接続形態がアクセスネットワークに依存しないため、訪問先公衆陸上移動網（ＶｉｓｉｔｅｄＰＬＭＮ）においてもホーム公衆陸上移動網（ＨｏｍｅＰＬＭＮ）と同様の接続が可能となり、ホーム公衆陸上移動網（ＨｏｍｅＰＬＭＮ）のサービスを継続して受けられるようになる。また、公衆陸上移動網（ＰＬＭＮ）のサービスエージェント（ＳＡ）により、その公衆陸上移動網（ＰＬＭＮ）独自のサービスも受けることが可能となる。【選択図】図１
2008288831.tif 000002
【特許請求の範囲】
【請求項１】
ネットワーク間を移動可能な移動端末と、
移動元の第１ネットワーク上にある第１認証サーバと、
移動先の第２ネットワーク上にあり、前記第１認証サーバに対して前記移動端末の認証要求を行い、前記第２ネットワークで有効な仮認証情報を前記第１認証サーバから取得し、前記移動端末が利用可能なアクセスに対して前記仮認証情報を提供し、前記移動端末からのサービス要求の受け入れの可否を判断し、前記移動端末からのサービス要求の受け入れが可能ならば前記移動端末にサービスを提供するようにする第２認証サーバと
を具備する
ネットワークシステム。
【請求項２】
請求項１に記載のネットワークシステムであって、
前記第１認証サーバは、前記第２認証サーバからの認証要求に応じて前記移動端末の認証を行い、前記移動端末の位置情報として、前記移動端末が前記第２ネットワークに存在する旨を記憶する
ネットワークシステム。
【請求項３】
請求項１又は２に記載のネットワークシステムであって、
前記第２認証サーバは、前記移動端末に、前記移動端末のアドレス情報を用いてパケットのルーティングを行うモビリティエージェント（ＭＡ）を割り当て、
前記移動端末は、１つのアクセスに対して１つの内部アドレスを取得し、前記モビリティエージェント（ＭＡ）に対して１つの外部アドレスを取得する
ネットワークシステム。
【請求項４】
訪問先公衆陸上移動網（ＶｉｓｉｔｅｄＰＬＭＮ）において、移動端末からアタッチされ、ホーム公衆陸上移動網（ＨｏｍｅＰＬＭＮ）に対して前記移動端末の認証要求を行い、前記訪問先公衆陸上移動網（ＶｉｓｉｔｅｄＰＬＭＮ）で有効な仮認証情報を前記ホーム公衆陸上移動網（ＨｏｍｅＰＬＭＮ）から取得し、前記移動端末が利用可能なアクセスに対して前記仮認証情報を提供し、前記移動端末からのサービス要求の受け入れの可否を判断するコントロールサーバ（ＣＳ）と、
前記コントロールサーバ（ＣＳ）により許可されたサービス要求に応じて、前記移動端末にサービスを提供するサービスエージェント（ＳＡ）と、
前記コントロールサーバ（ＣＳ）により前記移動端末に割り当てられ、前記移動端末のアドレス情報を管理し、前記アドレス情報を用いてパケットのルーティングを行うモビリティエージェント（ＭＡ）と
を具備する
ネットワークシステム。
【請求項５】
請求項４に記載のネットワークシステムであって、
前記移動端末は、利用可能なアクセスを検出し、前記アクセスを通して発見された公衆陸上移動網（ＰＬＭＮ）のうち、選択された１つの公衆陸上移動網（ＰＬＭＮ）上にあるコントロールサーバ（ＣＳ）にアタッチする
ネットワークシステム。
【請求項６】
請求項５に記載のネットワークシステムであって、
前記ホーム公衆陸上移動網（ＨｏｍｅＰＬＭＮ）は、
前記コントロールサーバ（ＣＳ）からの前記移動端末の認証要求に応じて前記移動端末の認証を行い、前記仮認証情報を前記コントロールサーバ（ＣＳ）に提供するホームＰＬＭＮ用コントロールサーバ（ＣＳ）と、
前記ホームＰＬＭＮ用コントロールサーバ（ＣＳ）から、前記移動端末の位置情報として、前記移動端末が前記選択された１つの公衆陸上移動網（ＰＬＭＮ）上にある旨の通知を受け取るＨＳＳ（Ｈｏｍｅ  Ｓｕｂｓｃｒｉｂｅｒ  Ｓｅｒｖｅｒ）と
を具備する
ネットワークシステム。
【請求項７】
訪問先公衆陸上移動網（ＶｉｓｉｔｅｄＰＬＭＮ）において、移動端末及びホーム公衆陸上移動網（ＨｏｍｅＰＬＭＮ）と通信するための通信部と、
前記ホーム公衆陸上移動網（ＨｏｍｅＰＬＭＮ）に対して前記移動端末の認証要求を行い、前記訪問先公衆陸上移動網（ＶｉｓｉｔｅｄＰＬＭＮ）で有効な仮認証情報を前記ホーム公衆陸上移動網（ＨｏｍｅＰＬＭＮ）から取得し、前記移動端末が利用可能なアクセスに対して前記仮認証情報を提供する認証処理部と、
前記移動端末からのサービス要求の受け入れの可否を判断し、前記移動端末からのサービス要求の受け入れが可能ならば前記移動端末にサービスを提供するようにするサービス要求判断部と
を具備する
コントロールサーバ。
【請求項８】
請求項７に記載のコントロールサーバであって、
前記サービス要求判断部は、前記移動端末からのサービス要求の受け入れが可能ならばサービスエージェント（ＳＡ）にサービス要求を行う
コントロールサーバ。
【請求項９】
請求項７又は８に記載のコントロールサーバであって、
前記移動端末に、前記移動端末のアドレス情報を用いてパケットのルーティングを行うモビリティエージェント（ＭＡ）を割り当てる移動管理部と
を更に具備する
コントロールサーバ。
【請求項１０】
ホーム公衆陸上移動網（ＨｏｍｅＰＬＭＮ）において、訪問先公衆陸上移動網（ＶｉｓｉｔｅｄＰＬＭＮ）と通信するための通信部と、
前記訪問先公衆陸上移動網（ＶｉｓｉｔｅｄＰＬＭＮ）からの移動端末の認証要求に応じて、前記移動端末の認証を行う端末認証部と、
前記認証要求に応じて、前記移動端末の位置情報を記録する端末位置情報記録部と、
前記訪問先公衆陸上移動網（ＶｉｓｉｔｅｄＰＬＭＮ）で有効な仮認証情報を、前記訪問先公衆陸上移動網（ＶｉｓｉｔｅｄＰＬＭＮ）側に提供する仮認証情報提供部と
を具備する
コントロールサーバ。
【請求項１１】
請求項１０に記載のコントロールサーバであって、
前記端末位置情報記録部は、前記認証要求を受けると、前記移動端末の位置情報として、前記移動端末が前記訪問先公衆陸上移動網（ＶｉｓｉｔｅｄＰＬＭＮ）の中の１つの公衆陸上移動網（ＰＬＭＮ）に存在することを、アップデート要求によりＨＳＳ（Ｈｏｍｅ  Ｓｕｂｓｃｒｉｂｅｒ  Ｓｅｒｖｅｒ）に通知する
コントロールサーバ。
【請求項１２】
訪問先公衆陸上移動網（ＶｉｓｉｔｅｄＰＬＭＮ）において、移動端末からのアクセスがあった際、ホーム公衆陸上移動網（ＨｏｍｅＰＬＭＮ）に対して前記移動端末の認証要求を行うステップと、
前記訪問先公衆陸上移動網（ＶｉｓｉｔｅｄＰＬＭＮ）で有効な仮認証情報を前記ホーム公衆陸上移動網（ＨｏｍｅＰＬＭＮ）から取得し、前記移動端末が利用可能なアクセスに対して前記仮認証情報を提供するステップと、
前記移動端末からのサービス要求の受け入れの可否を判断し、前記移動端末からのサービス要求の受け入れが可能ならば前記移動端末にサービスを提供するようにするステップと
を具備する
モビリティ管理方法。
【請求項１３】
請求項１２に記載のモビリティ管理方法であって、
前記移動端末からのサービス要求の受け入れが可能ならばサービスエージェント（ＳＡ）にサービス要求を行うステップ
を更に具備する
モビリティ管理方法。
【請求項１４】
請求項１２又は１３に記載のモビリティ管理方法であって、
前記移動端末に、前記移動端末のアドレス情報を用いてパケットのルーティングを行うモビリティエージェント（ＭＡ）を割り当てるステップ
を更に具備する
モビリティ管理方法。
【請求項１５】
請求項１２乃至１４のいずれか一項に記載のモビリティ管理方法であって、
前記ホーム公衆陸上移動網（ＨｏｍｅＰＬＭＮ）において、前記訪問先公衆陸上移動網（ＶｉｓｉｔｅｄＰＬＭＮ）からの前記移動端末の認証要求に応じて、前記移動端末の認証を行うステップと、
前記認証要求に応じて、前記移動端末の位置情報を記録するステップと、
前記訪問先公衆陸上移動網（ＶｉｓｉｔｅｄＰＬＭＮ）で有効な仮認証情報を、前記訪問先公衆陸上移動網（ＶｉｓｉｔｅｄＰＬＭＮ）側に提供するステップと
を更に具備する
モビリティ管理方法。
【請求項１６】
請求項１５に記載のモビリティ管理方法であって、
前記認証要求を受けると、前記移動端末の位置情報として、前記移動端末が前記訪問先公衆陸上移動網（ＶｉｓｉｔｅｄＰＬＭＮ）の中の１つの公衆陸上移動網（ＰＬＭＮ）に存在することを、アップデート要求によりＨＳＳ（Ｈｏｍｅ  Ｓｕｂｓｃｒｉｂｅｒ  Ｓｅｒｖｅｒ）に通知するステップ
を更に具備する
モビリティ管理方法。
【請求項１７】
訪問先公衆陸上移動網（ＶｉｓｉｔｅｄＰＬＭＮ）において、移動端末からのアクセスがあった際、ホーム公衆陸上移動網（ＨｏｍｅＰＬＭＮ）に対して前記移動端末の認証要求を行うステップと、
前記訪問先公衆陸上移動網（ＶｉｓｉｔｅｄＰＬＭＮ）で有効な仮認証情報を前記ホーム公衆陸上移動網（ＨｏｍｅＰＬＭＮ）から取得し、前記移動端末が利用可能なアクセスに対して前記仮認証情報を提供するステップと、
前記移動端末からのサービス要求の受け入れの可否を判断し、前記移動端末からのサービス要求の受け入れが可能ならば前記移動端末にサービスを提供するようにするステップと
を具備する
プログラム。
【請求項１８】
請求項１７に記載のプログラムであって、
前記移動端末からのサービス要求の受け入れが可能ならばサービスエージェント（ＳＡ）にサービス要求を行うステップ
を更に具備する
プログラム。
【請求項１９】
請求項１７又は１８に記載のプログラムであって、
前記移動端末に、前記移動端末のアドレス情報を用いてパケットのルーティングを行うモビリティエージェント（ＭＡ）を割り当てるステップ
を更に具備する
プログラム。
【請求項２０】
請求項１７乃至１９のいずれか一項に記載のプログラムであって、
前記ホーム公衆陸上移動網（ＨｏｍｅＰＬＭＮ）において、前記訪問先公衆陸上移動網（ＶｉｓｉｔｅｄＰＬＭＮ）からの前記移動端末の認証要求に応じて、前記移動端末の認証を行うステップと、
前記認証要求に応じて、前記移動端末の位置情報を記録するステップと、
前記訪問先公衆陸上移動網（ＶｉｓｉｔｅｄＰＬＭＮ）で有効な仮認証情報を、前記訪問先公衆陸上移動網（ＶｉｓｉｔｅｄＰＬＭＮ）側に提供するステップと
を更に具備する
プログラム。
【請求項２１】
請求項２０に記載のプログラムであって、
前記認証要求を受けると、前記移動端末の位置情報として、前記移動端末が前記訪問先公衆陸上移動網（ＶｉｓｉｔｅｄＰＬＭＮ）の中の１つの公衆陸上移動網（ＰＬＭＮ）に存在することを、アップデート要求によりＨＳＳ（Ｈｏｍｅ  Ｓｕｂｓｃｒｉｂｅｒ  Ｓｅｒｖｅｒ）に通知するステップ
を更に具備する
プログラム。
【発明の詳細な説明】
【技術分野】
【０００１】
本発明は、ネットワークシステムに関し、特に公衆陸上移動網（ＰＬＭＮ）におけるモビリティ管理を行うネットワークシステムに関する。
【背景技術】
【０００２】
公衆陸上移動網（ＰＬＭＮ（Ｐｕｂｌｉｃ  Ｌａｎｄ  Ｍｏｂｉｌｅ  Ｎｅｔｗｏｒｋ））は、アクセスネットワーク（Ｒａｄｉｏ、ＷＬＡＮ等）によって接続形態が異なっていた。そのため、移動端末がホーム公衆陸上移動網（ＨｏｍｅＰＬＭＮ）以外に移動した場合、利用できるアクセスネットワークの制限でネットワークに接続できる移動端末も制限されてしまう場合が考えられる。また、端末の移動管理もアクセスネットワーク毎に方式が異なり、端末がサポートしているアクセスネットワーク以外では移動管理ができない場合が考えられる。
【０００３】
まず、図１を参照して、公衆陸上移動網（ＰＬＭＮ）について説明する。
公衆陸上移動網（ＰＬＭＮ）は、ＣＳＣＦ（Ｃａｌｌ  Ｓｅｓｓｉｏｎ  Ｃｏｎｔｒｏｌ  Ｆｕｎｃｔｉｏｎ）１と、ＨＳＳ（Ｈｏｍｅ  Ｓｕｂｓｃｒｉｂｅｒ  Ｓｅｒｖｅｒ）２と、ＧＧＳＮ（Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）３と、ＳＧＳＮ（Ｓｅｒｖｉｎｇ  ＧＰＲＳ  Ｓｕｐｐｏｒｔ  Ｎｏｄｅ）４と、ＨＡ（Ｈｏｍｅ  Ａｇｅｎｔ）５と、移動端末６と、移動端末７を含む。
【０００４】
ＣＳＣＦ１は、ＩＭＳ（ＩＰ  Ｍｕｌｔｉｍｅｄｉａ  Ｓｕｂｓｙｓｔｅｍ）網において、マルチメディアセッションの呼制御を供給する。ＨＳＳ２は、ＩＭＳ網において、加入者情報、サービス情報、位置情報を管理する。ＧＧＳＮ３は、３Ｇ網において、外部ＩＰ網と接続されるゲートノードである。ＳＧＳＮ４は、移動端末６とパケット通信を行い、位置登録発生時に加入者情報をアップデートして管理する。ＨＡ５は、ＩＰ網において移動端末７のモビリティ管理を行う。
【０００５】
マルチメディアセッションを確立する場合、３Ｇ対応の移動端末６は、「ｒａｄｉｏＡｃｃｅｓｓ」から３ＧネットワークにアタッチしてＩＭＳ網に「ＩＮＶＩＴＥメッセージ」を送信してサービスを実行する。ＷＬＡＮ対応の移動端末７は、「ＷＬＡＮＡｃｃｅｓｓ」からＩＰネットワークにアタッチしてＩＭＳ網に「ＩＮＶＩＴＥメッセージ」を送信してサービスを実行する。
【０００６】
しかしながら、公衆陸上移動網（ＰＬＭＮ）においては、次のような課題が考えられる。
第１の課題は、訪問先公衆陸上移動網（ＶｉｓｉｔｅｄＰＬＭＮ）ではアクセスネットワークが限定されるため、接続ができずにホーム公衆陸上移動網（ＨｏｍｅＰＬＭＮ）と同様のサービスが受けられないということである。
第２の課題は、３Ｇ網、ＩＭＳ網、ＩＰ網等、それぞれの仕様が異なるため、各々の網間での接続ができないということである。
【０００７】
なお、関連する技術として、特開平１１−０８８４３１号公報（特許文献１）にパケット中継装置、移動計算機装置、移動計算機管理装置、パケット中継方法、パケット送信方法及び移動計算機位置登録方法が開示されている。
この関連技術では、組織ネットワークの中にホームネットワークが存在する。組織ネットワーク（例えば企業内ネットワーク）全体はプライベートアドレスで運用されている。組織ネットワークの出口すなわちインターネットとの境界部分には、境界ゲートウェイが設置される。この境界ゲートウェイは、２つのインタフェースを持ち、組織外のグローバルアドレス（インターネット側）と組織内のプライベートアドレスの両方を持つ。
【０００８】
また、特開２００１−２３７８７８号公報（特許文献２）に移動通信サービス提供システム、および移動通信サービス提供方法が開示されている。
この関連技術では、移動ノードは、広告メッセージを受信、ホーム通信エリアか外部通信エリアか認識する。移動ノードは位置登録要求メッセージを外部エージェントに送る。外部エージェントは位置登録メッセージを受信すると、ＡＭＲ（認証要求）メッセージをＡＡＡＦに送出する。ＡＡＡＦはＡＭＲメッセージをＡＡＡＨに送る。ＡＡＡＨは、移動ノードを認証する。ＡＡＡＨはＨＡＲ（登録要求）メッセージをホームエージェントに送る。ホームエージェントはＨＡＲメッセージから位置登録を実行する。また、ＡＡＡＨは、ＨＡＡ（登録応答）メッセージを受信するとＡＭＲメッセージに対応するメッセージとしてＡＭＡ（認証応答）メッセージを送る。更に、外部エージェントは、カプセル化されて転送されてきたパケットをデカプセル化し、そのパケットをホームアドレスに対応したリンクレイヤアドレスへ回送する。パケット制御部はそれぞれパケットのルーティング、ヘッダの書換えを実行する。
【０００９】
また、特開２００４−２９７４９０号公報（特許文献３）に移動通信システム、この移動通信システムで使用される無線端末装置および情報提供装置、プログラムならびに移動通信端末管理方法が開示されている。
この関連技術では、通知されたアドレスを移動局アドレスとして示し、第１の無線機に関する付加情報を別無線機情報として登録情報を生成する。そしてホームエージェントに宛てて送信する。また、見つかった複数の移動局アドレスのうち適切な一つをパケットの内容や付加情報を考慮して選択する。
【００１０】
【特許文献１】特開平１１−０８８４３１号公報
【特許文献２】特開２００１−２３７８７８号公報
【特許文献３】特開２００４−２９７４９０号公報
【発明の開示】
【発明が解決しようとする課題】
【００１１】
本発明の目的は、訪問先公衆陸上移動網（ＶｉｓｉｔｅｄＰＬＭＮ）において、ＨｏｍｅＰＬＭＮと同様のサービスを受けることや、様々なアクセスネットワークからの接続を可能にし、統一したモビリティの管理を実現するネットワークシステムを提供することである。
【課題を解決するための手段】
【００１２】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１３】
本発明のネットワークシステムは、ネットワーク間を移動可能な移動端末（８０）と、移動元の第１ネットワーク上にある第１認証サーバ（２０）と、移動先の第２ネットワーク上にあり、第１認証サーバ（２０）に対して移動端末（８０）の認証要求を行い、第２ネットワークで有効な仮認証情報を第１認証サーバ（２０）から取得し、移動端末（８０）が利用可能なアクセスに対して仮認証情報を提供し、移動端末（８０）からのサービス要求の受け入れの可否を判断し、移動端末（８０）からのサービス要求の受け入れが可能ならば移動端末（８０）にサービスを提供するようにする第２認証サーバ（５０）とを具備することを特徴とする。例えば、第１ネットワークは、ホーム公衆陸上移動網（ＨｏｍｅＰＬＭＮ）であり、第１認証サーバ（２０）は、ホーム公衆陸上移動網（ＨｏｍｅＰＬＭＮ）のコントロールサーバ（ＣＳ）である。また、第２ネットワークは、訪問先公衆陸上移動網（ＶｉｓｉｔｅｄＰＬＭＮ）であり、第２認証サーバ（５０）は、訪問先公衆陸上移動網（ＶｉｓｉｔｅｄＰＬＭＮ）のコントロールサーバ（ＣＳ）である。但し、実際には、これらの例に限定されない。
【００１４】
本発明の他のネットワークシステムは、訪問先公衆陸上移動網（ＶｉｓｉｔｅｄＰＬＭＮ）において、移動端末（８０）からアタッチされ、ホーム公衆陸上移動網（ＨｏｍｅＰＬＭＮ）に対して移動端末（８０）の認証要求を行い、訪問先公衆陸上移動網（ＶｉｓｉｔｅｄＰＬＭＮ）で有効な仮認証情報をホーム公衆陸上移動網（ＨｏｍｅＰＬＭＮ）から取得し、移動端末（８０）が利用可能なアクセスに対して仮認証情報を提供し、移動端末（８０）からのサービス要求の受け入れの可否を判断するコントロールサーバ（ＣＳ）（５０）と、コントロールサーバ（ＣＳ）（５０）により許可されたサービス要求に応じて、移動端末（８０）にサービスを提供するサービスエージェント（ＳＡ）（６０）と、コントロールサーバ（ＣＳ）（５０）により移動端末（８０）に割り当てられ、移動端末（８０）のアドレス情報を管理し、アドレス情報を用いてパケットのルーティングを行うモビリティエージェント（ＭＡ）（７０）とを具備することを特徴とする。
【００１５】
本発明のコントロールサーバ（５０）は、訪問先公衆陸上移動網（ＶｉｓｉｔｅｄＰＬＭＮ）において、移動端末（８０）及びホーム公衆陸上移動網（ＨｏｍｅＰＬＭＮ）と通信するための通信部（５１）と、ホーム公衆陸上移動網（ＨｏｍｅＰＬＭＮ）に対して移動端末（８０）の認証要求を行い、訪問先公衆陸上移動網（ＶｉｓｉｔｅｄＰＬＭＮ）で有効な仮認証情報をホーム公衆陸上移動網（ＨｏｍｅＰＬＭＮ）から取得し、移動端末（８０）が利用可能なアクセスに対して仮認証情報を提供する認証処理部（５２）と、移動端末（８０）からのサービス要求の受け入れの可否を判断し、移動端末（８０）からのサービス要求の受け入れが可能ならば移動端末（８０）にサービスを提供するようにするサービス要求判断部（５４）とを具備する。
【００１６】
本発明の他のコントロールサーバ（２０）は、ホーム公衆陸上移動網（ＨｏｍｅＰＬＭＮ）において、訪問先公衆陸上移動網（ＶｉｓｉｔｅｄＰＬＭＮ）と通信するための通信部（２１）と、訪問先公衆陸上移動網（ＶｉｓｉｔｅｄＰＬＭＮ）からの移動端末（８０）の認証要求に応じて、移動端末（８０）の認証を行う端末認証部（２２）と、認証要求に応じて、移動端末（８０）の位置情報を記録する端末位置情報記録部（２３）と、訪問先公衆陸上移動網（ＶｉｓｉｔｅｄＰＬＭＮ）で有効な仮認証情報を、訪問先公衆陸上移動網（ＶｉｓｉｔｅｄＰＬＭＮ）側に提供する仮認証情報提供部（２４）とを具備する。
【発明の効果】
【００１７】
訪問先公衆陸上移動網（ＶｉｓｉｔｅｄＰＬＭＮ）においてもホーム公衆陸上移動網（ＨｏｍｅＰＬＭＮ）と同様に接続が可能であり、サービスを受けることができる。
【発明を実施するための最良の形態】
【００１８】
ここでは、コントロールサーバ（ＣＳ）とモビリティエージェント（ＭＡ）を有する公衆陸上移動網（ＰＬＭＮ）の接続方法と、移動端末のアクセスネットワークの選択方法について説明する。
【００１９】
以下に、本発明の第１実施例について添付図面を参照して説明する。
図２を参照すると、本発明のネットワークシステムは、ＨＳＳ１０と、コントロールサーバ（ＣＳ）２０と、サービスエージェント（ＳＡ）３０と、モビリティエージェント（ＭＡ）４０と、コントロールサーバ（ＣＳ）５０と、サービスエージェント（ＳＡ）６０と、モビリティエージェント（ＭＡ）７０と、移動端末８０を含む。
【００２０】
ＨＳＳ１０は、加入者情報、サービス情報、位置情報を管理する。コントロールサーバ（ＣＳ）２０、及びコントロールサーバ（ＣＳ）５０は、コネクションの接続とフロー制御を行う。サービスエージェント（ＳＡ）３０、及びサービスエージェント（ＳＡ）６０は、様々なサービスを提供する。モビリティエージェント（ＭＡ）４０、及びモビリティエージェント（ＭＡ）７０は、ユーザプレーンのモビリティ管理とパケットのルーティングを行う。移動端末８０は、アクセスネットワークの検出と利用可能なＰＬＭＮの選択、及びサービスの要求を行う。
【００２１】
ＨＳＳ１０、コンロールサーバ（ＣＳ）２０、サービスエージェン（ＳＡ）３０、及びモビリティエージェン（ＭＡ）４０は、ホーム公衆陸上移動網（ＨｏｍｅＰＬＭＮ）上に存在している。また、コントロールサーバ（ＣＳ）５０、サービスエージェント（ＳＡ）６０、及びモビリティエージェント（ＭＡ）７０は、訪問先公衆陸上移動網（ＶｉｓｉｔｅｄＰＬＭＮ）に属する公衆陸上移動網（ＰＬＭＮ）毎に存在している。すなわち、公衆陸上移動網（ＰＬＭＮ）ｉ（ｉ＝１〜ｎ：ｎはＰＬＭＮの数）は、コントロールサーバ（ＣＳ）５０−ｉ、サービスエージェント（ＳＡ）６０−ｉ、及びモビリティエージェント（ＭＡ）７０−ｉを含む。移動端末８０−ｊ（ｊ＝１〜ｍ：ｍは端末数）は、利用可能なアクセスを使用して選択した公衆陸上移動網（ＰＬＭＮ）のコントロールサーバ（ＣＳ）５０にアタッチする。
【００２２】
図３を参照して、コントロールサーバ（ＣＳ）２０の構成例について説明する。
コントロールサーバ（ＣＳ）２０は、通信部２１と、端末認証部２２と、端末位置情報記録部２３と、仮認証情報提供部２４を備える。
【００２３】
通信部２１は、訪問先公衆陸上移動網（ＶｉｓｉｔｅｄＰＬＭＮ）上のコントロールサーバ（ＣＳ）５０を始めとする他のコントロールサーバ（ＣＳ）や、同じホーム公衆陸上移動網（ＨｏｍｅＰＬＭＮ）上のＨＳＳ１０、サービスエージェント（ＳＡ）３０及びモビリティエージェント（ＭＡ）４０と通信する。端末認証部２２は、コントロールサーバ（ＣＳ）５０からの移動端末８０の認証要求に応じて、認証要求された移動端末８０の認証を行う。端末位置情報記録部２３は、コントロールサーバ（ＣＳ）５０からの移動端末８０の認証要求に応じて、選択されたＰＬＭＮに移動端末８０が存在することを、アップデート要求によりＨＳＳ１０に通知する。すなわち、移動端末８０の位置情報をＨＳＳ１０に通知する。仮認証情報提供部２４は、訪問先公衆陸上移動網（ＶｉｓｉｔｅｄＰＬＭＮ）でのみ有効な「仮認証情報」を、コントロールサーバ（ＣＳ）５０に提供する。
【００２４】
図４を参照して、コントロールサーバ（ＣＳ）５０の構成例について説明する。
コントロールサーバ（ＣＳ）５０は、通信部５１と、認証処理部５２と、移動管理部５３と、サービス要求判断部５４を備える。
【００２５】
通信部５１は、ホーム公衆陸上移動網（ＨｏｍｅＰＬＭＮ）上のコンロールサーバ（ＣＳ）２０や、同じ公衆陸上移動網（ＰＬＭＮ）上のサービスエージェント（ＳＡ）６０及びモビリティエージェント（ＭＡ）７０と通信する。また、アクセスネットワークを介して移動端末と通信する。認証処理部５２は、ホーム公衆陸上移動網（ＨｏｍｅＰＬＭＮ）に対して移動端末の認証要求を行う。また、認証処理部５２は、ホーム公衆陸上移動網（ＨｏｍｅＰＬＭＮ）から「仮認証情報」を受け取り、使用可能なアクセスに対して「仮認証情報」を提供する。移動管理部５３は、移動端末にモビリティエージェント（ＭＡ）を割り当てる。サービス要求判断部５４は、移動端末のサービスの要求の可否を判断し、サービスの要求を受け入れることが可能であれば、サービスエージェント（ＳＡ）にサービス要求を行う。
【００２６】
上記に説明した端末認証部２２、端末位置情報記録部２３、仮認証情報提供部２４、及び、認証処理部５２、移動管理部５３、サービス要求判断部５４の各部の機能は、プロセッサ等の処理装置（図示されず）と、メモリ等の記憶装置（図示されず）を用いて、ソフトウェア処理により実施するようにしても良い。
【００２７】
なお、コントロールサーバ（ＣＳ）２０及び／又はコントロールサーバ（ＣＳ）５０として、コントロールサーバ（ＣＳ）２０とコントロールサーバ（ＣＳ）５０の両方の機能を持つサーバを用いるようにしても良い。この場合、この両方の機能を持つサーバは、ホーム公衆陸上移動網（ＨｏｍｅＰＬＭＮ）ではコントロールサーバ（ＣＳ）２０となり、訪問先公衆陸上移動網（ＶｉｓｉｔｅｄＰＬＭＮ）ではコントロールサーバ（ＣＳ）５０となる。
【００２８】
次に、図５Ａ，図５Ｂを参照して、移動端末８０が電源を入れた時のアクセスネットワーク選択の動作を説明する。
（１）ステップＳ１０１
訪問先公衆陸上移動網（ＶｉｓｉｔｅｄＰＬＭＮ）で移動端末８０の電源を入れると、移動端末８０は、利用可能なアクセスの検出を行う。或いは、移動端末８０は、電源を入れたまま訪問先公衆陸上移動網（ＶｉｓｉｔｅｄＰＬＭＮ）に移動すると、利用可能なアクセスの検出を行う。このとき、利用可能なアクセスを検出するまで定期的に利用可能なアクセスの検出を行うようにしても良い。
（２）ステップＳ１０２
移動端末８０は、利用可能なアクセスを検出した時点でそのアクセスを通して利用可能な公衆陸上移動網（ＰＬＭＮ）を発見する。
（３）ステップＳ１０３
移動端末８０は、利用可能なＰＬＭＮが複数発見できた場合、その中の１つのＰＬＭＮを選択する。
（４）ステップＳ１０４
そして、移動端末８０は、利用可能なアクセスを使用して選択したＰＬＭＮのコントロールサーバ（ＣＳ）５０にアタッチする。
（５）ステップＳ１０５
コントロールサーバ（ＣＳ）５０は、移動端末８０からアタッチされると、ホーム公衆陸上移動網（ＨｏｍｅＰＬＭＮ）のコントロールサーバ（ＣＳ）２０に対して移動端末８０の認証要求を行う。
（６）ステップＳ１０６
ホーム公衆陸上移動網（ＨｏｍｅＰＬＭＮ）のコントロールサーバ（ＣＳ）２０は、認証要求を受けると、移動端末８０に関しての認証を行うと共に、移動端末８０の位置情報として、選択したＰＬＭＮに存在することをアップデート要求によりＨＳＳ１０に通知する。
（７）ステップＳ１０７
また、ホーム公衆陸上移動網（ＨｏｍｅＰＬＭＮ）のコントロールサーバ（ＣＳ）２０は、訪問先公衆陸上移動網（ＶｉｓｉｔｅｄＰＬＭＮ）でのみ有効な「仮認証情報」を、選択されたＰＬＭＮのコントロールサーバ（ＣＳ）５０に提供する。
（８）ステップＳ１０８
コントロールサーバ（ＣＳ）５０は、使用可能なアクセスに対して「仮認証情報」を提供する。「仮認証情報」は、移動端末５がアクセスを移動した場合（例えば、ハンドオーバ時）に移動端末５の認証を行うために使用する情報である。
（９）ステップＳ１０９
それから、選択されたＰＬＭＮのコントロールサーバ（ＣＳ）５０は、移動端末８０の移動管理を行うためにモビリティエージェント（ＭＡ）７０を割り当てる。
（１０）ステップＳ１１０
移動端末８０は、１つのアクセスに対して１つのＬｏｃａｌＡｄｄｒｅｓｓ（プライベートＩＰアドレス等）を取得し、モビリティエージェント（ＭＡ）７０に対して１つのＧｌｏｂａｌＡｄｄｒｅｓｓ（グローバルＩＰアドレス等）を取得する。
（１１）ステップＳ１１１
モビリティエージェント（ＭＡ）７０は、移動端末８０のアドレス情報を管理すると共に、このアドレスを用いてＭｏｂｉｌｅＩＰ等のモビリティ機能により、移動端末８０のロケーションプライバシーを保持しながらパケットのルーティングを行う。
【００２９】
これらの動作によって、移動端末８０は、アタッチした瞬間から、選択されたアクセス経由でページングが可能となる。
【００３０】
（１２）ステップＳ１１２
その後、移動端末８０は、アクセスを経由してコントロールサーバ（ＣＳ）５０にサービス要求を行う。
（１３）ステップＳ１１３
コントロールサーバ（ＣＳ）５０は、移動端末８０からのサービス要求の受け入れの可否を判断し、サービス要求の受け入れが可能ならば、サービスエージェント（ＳＡ）６０にサービス要求を行う。
（１４）ステップＳ１１４
サービスエージェント（ＳＡ）６０は、要求されたサービスを移動端末８０に提供する。
【００３１】
このように、本発明では、移動端末がアクセスネットワーク中の使用可能なアクセスを検出するので、訪問先公衆陸上移動網（ＶｉｓｉｔｅｄＰＬＭＮ）においても可能な限りＨｏｍｅ公衆陸上移動網（ＨｏｍｅＰＬＭＮ）と同様の接続が可能となる。
【００３２】
また、訪問先公衆陸上移動網（ＶｉｓｉｔｅｄＰＬＭＮ）においてもＨｏｍｅ公衆陸上移動網（ＨｏｍｅＰＬＭＮ）と同様に接続が可能になるので、移動端末はＨｏｍｅ公衆陸上移動網（ＨｏｍｅＰＬＭＮ）と同様のサービスを受けられる。
【００３３】
また、コントロールサーバ（ＣＳ）とモビリティエージェント（ＭＡ）を配置することにより、アクセスネットワークと公衆陸上移動網（ＰＬＭＮ）間のインタフェースが共通化され、３Ｇ網、ＩＭＳ網、ＩＰ網の異種ネットワーク間の接続が可能となる。
【００３４】
更に、端末が移動した場合、Ｈｏｍｅ公衆陸上移動網（ＨｏｍｅＰＬＭＮ）で認証を行うことなく、訪問先公衆陸上移動網（ＶｉｓｉｔｅｄＰＬＭＮ）のモビリティエージェント（ＭＡ）によって、Ｈｏｍｅ公衆陸上移動網（ＨｏｍｅＰＬＭＮ）と同様の方式で認証が行われるため、パケットの遅延なくロケーションプライバシーを保持することができる。
【００３５】
以下に、本発明の第２実施例について説明する。
図６を参照して、マルチメディアセッションを開始する時の動作を説明する。
（１）ステップＳ２０１
訪問先公衆陸上移動網（ＶｉｓｉｔｅｄＰＬＭＮ）において、移動端末８０が選択したアクセスを通してページング／導通可能状態でマルチメディアセッションを開始する。
（２）ステップＳ２０２
移動端末８０は、選択したアクセスとの間でコネクションを確立し、選択したＰＬＭＮのコントロールサーバ（ＣＳ）５０に「ＩＮＶＩＴＥメッセージ」を送信する。「ＩＮＶＩＴＥメッセージ」は、このセッションのために選ばれるべき複数のアクセスの優先リストを含んでいる。セッションに使用できるアクセスは、移動端末８０の「仮認証情報」を保持しているアクセスに限られる。
（３）ステップＳ２０３
コントロールサーバ（ＣＳ）５０は、「ＩＮＶＩＴＥメッセージ」を受信すると、セッションを認可し、「ＩＮＶＩＴＥメッセージ」に対してこのセッションのために選択したアクセスを含む返答を、選択したアクセスを経由して移動端末８０に返送する。
（４）ステップＳ２０４
また、コントロールサーバ（ＣＳ）５０は、サービスエージェント（ＳＡ）６０に対してこのセッションに必要なリソースの予約を要求する。
（５）ステップＳ２０５
サービスエージェント（ＳＡ）６０はリソースの予約が可能であれば、このセッションを受け入れたことをコントロールサーバ（ＣＳ）５０に応答する。
（６）ステップＳ２０６
コントロールサーバ（ＣＳ）５０は、サービスエージェント（ＳＡ）６０からセッション受け入れの応答により、モビリティエージェント（ＭＡ）７０にユーザプレーンが転送できるように指示する。
（７）ステップＳ２０７
モビリティエージェント（ＭＡ）７０は、コントロールサーバ（ＣＳ）５０からユーザプレーン指示を受けると、ゲートを空けてユーザデータの送受信ができるように設定を行う。
【００３６】
以上のように、本発明は、移動端末が存在する公衆陸上移動網（ＰＬＭＮ）に、コントロールサーバ（ＣＳ）とサービスエージェント（ＳＡ）とモビリティエージェント（ＭＡ）を配置することにより、移動端末が複数のアクセスネットワークの中からアクセスネットワークを選択できて、訪問先公衆陸上移動網（ＶｉｓｉｔｅｄＰＬＭＮ）においても確実に公衆陸上移動網（ＰＬＭＮ）に接続することが可能であり、ホーム公衆陸上移動網（ＨｏｍｅＰＬＭＮ）と同様のサービスを受けられることを特徴とする。
【００３７】
ＨＳＳは、加入者情報、サービス情報、位置情報を管理する。コントロールサーバ（ＣＳ）は、コネクションとフロー制御を行う。サービスエージェント（ＳＡ）は、様々なサービスを提供する。モビリティエージェント（ＭＡ）は、ユーザプレーンのモビリティ管理とパケットのルーティングを行う。移動端末は、アクセスネットワークの検出と利用可能なＰＬＭＮの選択を行う。
【００３８】
このようにすることで、訪問先公衆陸上移動網（ＶｉｓｉｔｅｄＰＬＭＮ）において、アクセスネットワークの接続制限なく、どのアクセスネットワークから接続できる手段を保有しているため、訪問先公衆陸上移動網（ＶｉｓｉｔｅｄＰＬＭＮ）においてもホーム公衆陸上移動網（ＨｏｍｅＰＬＭＮ）と同様に接続が可能であり、サービスを受けることができる。
【００３９】
本発明は、携帯電話、ＰＣ等の移動体を対象とする移動体通信において適用することが考えられる。
【図面の簡単な説明】
【００４０】
【図１】図１は、一般的な公衆陸上移動網（ＰＬＭＮ）を示す概念図である。
【図２】図２は、本発明のネットワークシステムを示す概念図である。
【図３】図３は、ホーム公衆陸上移動網（ＨｏｍｅＰＬＭＮ）のコントロールサーバ（ＣＳ）の構成例を示すブロック図である。
【図４】図４は、訪問先公衆陸上移動網（ＶｉｓｉｔｅｄＰＬＭＮ）のコントロールサーバ（ＣＳ）の構成例を示すブロック図である。
【図５Ａ】図５Ａは、本発明の第１実施例における動作を示すフローチャートである。
【図５Ｂ】図５Ｂは、本発明の第１実施例における動作を示すフローチャートである。
【図６】図６は、本発明の第２実施例における動作を示すフローチャートである。
【符号の説明】
【００４１】
１…  ＣＳＣＦ（Ｃａｌｌ  Ｓｅｓｓｉｏｎ  Ｃｏｎｔｒｏｌ  Ｆｕｎｃｔｉｏｎ）
２…  ＨＳＳ（Ｈｏｍｅ  Ｓｕｂｓｃｒｉｂｅｒ  Ｓｅｒｖｅｒ）
３…  ＧＧＳＮ（Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）
４…  ＳＧＳＮ（Ｓｅｒｖｉｎｇ  ＧＰＲＳ  Ｓｕｐｐｏｒｔ  Ｎｏｄｅ）
５…  ＨＡ（Ｈｏｍｅ  Ａｇｅｎｔ）
６…  移動端末
７…  移動端末
１０…  ＨＳＳ
２０…  コントロールサーバ（ＣＳ）
３０…  サービスエージェント（ＳＡ）
４０…  モビリティエージェント（ＭＡ）
５０（−ｉ、ｉ＝１〜ｎ）…  コントロールサーバ（ＣＳ）
６０（−ｉ、ｉ＝１〜ｎ）…  サービスエージェント（ＳＡ）
７０（−ｉ、ｉ＝１〜ｎ）…  モビリティエージェント（ＭＡ）
８０（−ｊ、ｊ＝１〜ｍ）…  移動端末
【図１】
2008288831.tif 000003
【図２】
2008288831.tif 000004
【図３】
2008288831.tif 000005
【図４】
2008288831.tif 000006
【図５Ａ】
2008288831.tif 000007
【図５Ｂ】
2008288831.tif 000008
【図６】
2008288831.tif 000009